(57)【特許請求の範囲】
【請求項１】
被取付板に形成された窓孔と、この窓孔に設けられる温度計を備えたショーケースにおいて、
前記窓孔の両側縁に取り付けられる一対の固定具を備え、各固定具は、前記被取付板に嵌合する断面コ字状の嵌合部と、この嵌合部とは反対側の面に突設され、前記温度計が係合する係合片とを具備していることを特徴とするショーケースの温度計取付装置。
【発明の詳細な説明】
【０００１】
【発明の属する技術分野】
本発明は、ショーケースに温度計を取り付けるための取付装置に関するものである。
【０００２】
【従来の技術】
従来より低温ショーケース等に取り付けられる温度計は、特公平６−７８１０号公報（Ａ４７Ｆ３／０４）に示されている。この場合温度計は、通常ショーケースの前上側に設けられた薄い鋼板から成るキャノピー（被取付板）に取り付けられる。
【０００３】
即ち、図４、図５に示す如くキャノピー１０５に形成された窓孔１０６に温度計１１０を挿入することにより、温度計１１０の本体１１１の両側壁１１１Ａ、１１１Ａに形成された可撓性の爪部１１２、１１２を、窓孔１０６の両側縁１０６Ａ、１０６Ａに係合し、これにより、温度計１１０は薄い鋼板製のキャノピー１０５に取り付けられるものであった。
【０００４】
【発明が解決しようとする課題】
しかしながら、ショーケースによっては上記キャノピーや他の温度計取付部分を合成樹脂板で構成されているものもあり、係る合成樹脂板は、強度の関係上比較的厚いものが使用される。そのため、厚さの薄い鋼板に取り付けられるように設計された温度計は、厚い合成樹脂板には取り付けることができず、係るショーケースには格別に設計した温度計を準備する必要があった。
【０００５】
本発明は、係る従来技術の課題を解決するために成されたものであり、異なる厚さを有する被取付板に温度計を取り付けることができるショーケースの温度計取付装置を提供することを目的とする。
【０００６】
【課題を解決するための手段】
即ち、本発明の温度計取付装置は、被取付板に形成された窓孔と、この窓孔に設けられる温度計を備えたショーケースに適用されるものであって、窓孔の両側縁に取り付けられる一対の固定具を備え、各固定具は、被取付板に嵌合する断面コ字状の嵌合部と、この嵌合部とは反対側の面に突設され、温度計が係合する係合片とを具備しているものである。
【０００７】
【発明の実施の形態】
次に、図面に基づき本発明の実施形態を詳述する。図１は本発明を適用したショーケース１の斜視図、図２はショーケース１のキャノピー５の窓孔６部分の拡大分解斜視図、図３は同じくキャノピー５の窓孔６部分の平断面図をそれぞれ示している。
【０００８】
本発明の温度計取付装置は一対の固定具７、７から構成され、温度計１０をショーケース１に取り付けるために用いられる。縦型オープンショーケースから成るショーケース１は、本体を構成する断面略コ字状の断熱壁２と、この断熱壁２の両側に設けられた側板２Ａ、２Ａとから構成されており、断熱壁２の内側を貯蔵室２Ｂとされている。一方、温度計１０はショーケース１の貯蔵室２Ｂ内の温度を表示するためのものである。
【０００９】
貯蔵室２Ｂ内には複数段の棚４・・・が架設されており、貯蔵室２Ｂの外側には図示しないダクトが形成されている。このダクト内には図示しない冷却装置を構成する送風機と冷却器が設置されており、送風機が運転されると底部のダクト内の空気は、冷却器と熱交換した後、開口上縁部の図示しない吐出口から開口下縁部の図示しない吸込口に向けて吹き出される。
【００１０】
これによって、貯蔵室２Ｂの開口に冷気エアーカーテンが形成されると共に、この冷気エアーカーテンによって、開口から貯蔵室２Ｂ内への外気の侵入が阻止若しくは抑制される。そして、冷気エアーカーテンの一部は貯蔵室２Ｂ内に循環して貯蔵室２Ｂ内は冷却され、これによって棚４・・・上の図示しない販売商品を冷却しながら陳列する。
【００１１】
そして、断熱壁２の前面上部には温度計１０の被取付板となるキャノピー５が設けられている。このキャノピー５は比較的厚い硬質合成樹脂板から構成されており、その向かって左側には横長矩形状の窓孔６が形成され、この窓孔６は後述する温度計１０を係合可能な大きさとされている。
【００１２】
一方、温度計１０の本体１１の左右側壁１１Ａ、１１Ａには可撓性の爪部１２、１２が設けられている。尚、温度計１０は例えば有色アルコール等の熱にて膨張収縮する感熱材がガラス管内に封入された棒状のもの、或いは、温度を数字で表示するデジタル式のもの等で構成された従来より周知のものであり、詳細な説明を省略する。
【００１３】
他方、固定具７はアルミニウム板、ステンレス板等の金属板或いは合成樹脂板等で構成されており、一側に断面コ字状の嵌合部７Ａが設けられ、この嵌合部７Ａは、窓孔６の両側縁６Ａ、６Ａに嵌合可能に構成されている。また、この嵌合部７Ａの反対側の面には係合片７Ｂが突設されており、この係合片７Ｂは通常のショーケースの鋼板製キャノピーと同等の厚さに構成され、温度計１０の爪部１２を係合可能に構成されている。
【００１４】
次に、温度計１０をキャノピー５に取り付ける手順を説明する。この場合、先ず窓孔６一側の縁部６Ａに固定具７の嵌合部７Ａを嵌合し、他側の縁部６Ａにも固定具７の嵌合部７Ａを嵌合する。この場合、窓孔６の一側の縁部６Ａに係合した固定具７に対して、窓孔６の他側の縁部６Ａに係合した固定具７は１８０度反転させた状態で嵌合されている。即ち、各固定具７、７の係合片７Ｂ、７Ｂが対向した状態で窓孔６の両側縁部６Ａ、６Ａに嵌合部７Ａ、７Ａが嵌合される。
【００１５】
この状態で、温度計１０を両固定具７、７間の窓孔６内に挿入し、両側の爪部１２、１２を両係合片７Ｂ、７Ｂに係合することにより、キャノピー５に固定する。これにより、温度計１０が鋼板に取り付ける設計のものであっても、厚い合成樹脂板からキャノピー５に取付可能となる。
【００１６】
【発明の効果】
以上詳述した如く本発明によれば、被取付板に形成された窓孔と、この窓孔に設けられる温度計を備えたショーケースにおいて、窓孔の両側縁に取り付けられる一対の固定具を備えており、各固定具は、被取付板に嵌合する断面コ字状の嵌合部と、この嵌合部とは反対側の面に突設され、温度計が係合する係合片とを具備しているので、温度計が取り付けられる通常の被取付板とは厚みが異なる被取付板の場合でも、固定具の係合片の厚みを通常の被取付板の厚みに合致させて置くことにより、通常の被取付板同様に温度計を取り付けることができるようになる。
【００１７】
これにより、被取付板の厚みに合わせて複数種の温度計を準備する必要が無くなり、汎用性が増してコストの削減を図ることができるようになるものである。
【図面の簡単な説明】
【図１】本発明を適用したショーケースの斜視図である。
【図２】図１のショーケースのキャノピーの窓孔部分の拡大分解斜視図である。
【図３】図１のショーケースのキャノピーの窓孔に温度計を取り付ける手順を示す平断面図である。
【図４】鋼板製のキャノピーの窓孔部分の分解斜視図である。
【図５】図４のキャノピーの窓孔に温度計を取り付ける手順を示す平断面図である。
【符号の説明】
１  ショーケース
２  断熱壁
２Ｂ  貯蔵室
４  棚
５  キャノピー
６  窓孔
７  固定具
７Ａ  嵌合部
７Ｂ  係合片
１０  温度計
１１  本体
１２  爪部
【図１】
0003615381.tif 000002
【図２】
0003615381.tif 000003
【図３】
0003615381.tif 000004
【図４】
0003615381.tif 000005
【図５】
0003615381.tif 000006